(57)【要約】  少なくとも３つの延伸領域を有する延伸方向特性を備えた吸収性物品が示されている。第一縁部領域と第二縁部領域は、中間領域により分離されている。各々の縁部領域と同じ長さとすることができる中間領域は、縁部領域とは異なる延伸方向特性を有する。中間領域は、単一方向に延伸することができるが、縁部領域は、異なる単一方向か、又は二軸方向或いは多軸方向に延伸することができる。フラップは、縁部領域から形成することができる。この構造を通して、吸収性物品は、改善された嵌合性及び外観を示す。【選択図】図４
2009519754.tif 000002
【特許請求の範囲】
【請求項１】
延伸可能な材料からなる外カバーと、
前記外カバーと重なる関係で接合された延伸可能な身体側ライナーと、
前記外カバーと前記ライナーとの間に位置する吸収性構造体と、
から成り、
前記外カバー、ライナー、及び吸収性構造体は、縦軸及び横軸を有するシャーシを形成し、前記ライナーは、横方向にわたって、第一縁部領域と、中間領域と、第二縁部領域とから成る３つの領域を含み、前記中間領域は、第一方向に延伸する一軸方向延伸材料であり、前記それぞれの第一及び第二縁部領域は、前記第一方向とは異なる第二方向に延伸するものであることを特徴とする吸収性物品。
【請求項２】
前記それぞれの第一及び第二縁部領域は、二軸方向性であることを特徴とする請求項１に記載の吸収性物品。
【請求項３】
前記それぞれの第一及び第二縁部領域は、多軸方向性であることを特徴とする請求項１に記載の吸収性物品。
【請求項４】
前記一軸方向延伸材料は、実質的に前記縦方向に延伸することを特徴とする請求項１に記載の吸収性物品。
【請求項５】
前記一軸方向延伸材料は、実質的に前記横方向に延伸することを特徴とする請求項１に記載の吸収性物品。
【請求項６】
前記外カバーは、弾性であることを特徴とする請求項５に記載の吸収性物品。
【請求項７】
前記ライナーは、弾性であることを特徴とする請求項５に記載の吸収性物品。
【請求項８】
前記吸収性構造体は、縦方向に方向付けられた接着によりシャーシに取り付けられることを特徴とする請求項５に記載の吸収性物品。
【請求項９】
前記外カバーは、二軸方向材料を含むことを特徴とする請求項１に記載の吸収性物品。
【請求項１０】
延伸可能な材料からなる外カバーと、
前記外カバーと重なる関係で接合された延伸可能な身体側ライナーと、
前記外カバーと前記ライナーとの間に位置された吸収性構造体と、
から成り、
前記外カバー、ライナー、及び吸収性構造体は、縦方向軸及び横方向軸を有するシャーシを形成し、前記ライナーは、横方向にわたって、第一縁部領域と、中間領域と、第二縁部領域とから成る３つの領域を含み、前記中間領域は、実質的に、前記横方向軸に平行な方向に延伸するように限定されており、前記それぞれの第一及び第二縁部領域は、前記横方向軸とは平行ではない方向に延伸することができることを特徴とする吸収性物品。
【請求項１１】
前記それぞれの第一及び第二縁部領域は、二軸方向性であることを特徴とする請求項１０に記載の吸収性物品。
【請求項１２】
前記それぞれの第一及び第二縁部領域は、多軸方向性であることを特徴とする請求項１０に記載の吸収性物品。
【請求項１３】
外カバーと、
前記外カバーと重なる関係で接合された延伸可能な身体側ライナーと、
から成り、
前記外カバー及びライナーは、縦方向軸及び横方向軸を有するシャーシを形成し、前記ライナーは、横方向にわたって、第一縁部領域と、縦方向両側の側部を有する中間領域と、第二縁部領域とから成る３つの領域を含み、前記中間領域は、実質的に、前記横方向軸と平行な方向に延伸するように限定されており、前記それぞれの第一及び第二縁部領域は、多軸方向に延伸することができることを特徴とする使い棄て吸収性物品。
【請求項１４】
前記外カバーは、弾性であることを特徴とする請求項１３に記載の使い棄て吸収性物品。
【請求項１５】
前記ライナーは、弾性であることを特徴とする請求項１４に記載の使い棄て吸収性物品。
【請求項１６】
前記中間領域の前記縦方向側部の各々に沿って延びる、１対のフラップを更に含むことを特徴とする請求項１３に記載の使い棄て吸収性物品。
【請求項１７】
前記第一縁部領域と前記第二縁部領域は、前記１対のフラップを形成するために、前記中間領域に重なることを特徴とする請求項１６に記載の使い棄て吸収性物品。
【請求項１８】
前記外カバーは、二軸方向に延伸可能であることを特徴とする請求項１３に記載の使い棄て吸収性物品。
【請求項１９】
前記外カバーと前記ライナーとの間に位置する延伸可能な吸収性構造体を更に含むことを特徴とする請求項１８に記載の使い棄て吸収性物品。
【請求項２０】
前記吸収性構造体は、前記縦方向に方向付けられた接着により、前記物品に取り付けられることを特徴とする請求項１９に記載の使い棄て吸収性物品。
【発明の詳細な説明】
【技術分野】
【０００１】
オムツ、訓練用パンツ、失禁用衣類、水着用下着、及び同様のものなどの吸収性物品は、通常、液体透過性身体側ライナー、液体不透過性外カバー、及び吸収性芯を含む。吸収性芯は、典型的には、着用者よリ排出された液体（例えば、尿）を取り入れて、保持するために、外カバーとライナーとの間に位置する。
【０００２】
これらの幾つかの吸収性物品においては、着用者により良い適合性を与える必要がある場合には、物品をある程度膨張可能にするために、物品は様々な弾性材料を含む。弾性部材は、少なくとも幾つかの領域で、物品に形状適合特性を与えるために、着用された時収縮するように設計される。使用中に、物品は、吸収性物品の負荷及び着用者の動きにより発生する力に曝される。幾つかの例においては、吸収性物品に液体が放出された後では、物品の股部領域は、垂れ下がるか又はたるむこととなる。
【０００３】
これに関して、物品がある程度の量の液体を吸収した後でも、形状適合特性を有する吸収性物品を形成する必要がある。特に湿潤後、股部領域において垂れ下がったり、たるんだりしない吸収性物品が必要である。改善した着用特性を有する吸収性物品の必要性がある。
【０００４】
【特許文献１】ＰＣＴ特許出願ＷＯ００／３７００９
【特許文献２】米国特許第４，９４０，４６４号公報
【特許文献３】米国特許第５，７６６，３８９号公報
【特許文献４】米国特許第６，６４５，１９０号公報
【特許文献５】米国一連番号１０／８８１７１８
【特許文献６】米国特許第５，２２４，４０５号公報
【特許文献７】米国特許第５，１０４，１１６号公報
【特許文献８】米国特許第５，０４６，２７２号公報
【特許文献９】米国特許第４，６６３，２２０号公報
【特許文献１０】米国特許第５，２２６，９９２号公報
【特許文献１１】米国特許第４，７２０，４１５号公報
【特許文献１２】ＰＣＴ出願ＷＯ０１／８８２４５
【特許文献１３】米国特許第４，７０４，１１６号公報
【特許文献１４】米国特許第５，４８６，１６６号公報
【特許文献１５】米国特許第５，４９０，８４６号公報
【特許文献１６】米国特許第５，８２０，９７３号公報
【特許文献１７】米国特許第５，８８３，０２８号公報
【特許文献１８】米国特許第５，１１６，６６２号公報
【特許文献１９】米国特許第５，１１４，７８１号公報
【特許文献２０】米国特許出願一連番号０９／５６３，４１７
【特許文献２１】米国特許出願一連番号０９／６９８，５１７
【特許文献２２】米国特許第４，１００，３２４号公報
【特許文献２３】米国特許第５，２８４，７０３号公報
【特許文献２４】米国特許第５，３５０，６２４号公報
【特許文献２５】米国特許第６，２３１，５５７号公報
【特許文献２６】米国特許第６，３６２，３８９号公報
【特許文献２７】国際特許出願ＷＯ０３／０５１２５４
【特許文献２８】米国特許第５，９６４，７４３号公報
【特許文献２９】米国特許第５，６４５，５４２号公報
【発明の開示】
【発明が解決しようとする課題】
【０００５】
一般的には、本発明は、注意深く制御された延伸特性を有する使い棄て吸収性物品に関する。例えば、吸収性物品は、改善された適合状態及び外観を生み出す形状適合特性を有することができる。注意深く制御された物品の延伸特性は、物品が湿潤した後でも、股部領域において、たるんだり垂れ下がったりすることを妨げる。特に、股部領域は、物品が身体排出物を受け取る時に、股部領域において、垂れ下がることを妨げる。
【０００６】
例えば、本発明の一態様においては、吸収性物品は、延伸可能な材料から形成された外カバーと、該外カバーと重なる関係で接合された延伸可能な身体側ライナーと、外カバーとライナーとの間に位置する吸収性構造体とを含む。外カバー、ライナー、及び吸収性構造体は、合わさって縦方向軸及び横方向軸を有するシャーシを形成する。ライナーは、横方向にわたって３つの領域を含み、該３つの領域は、第一縁部領域、中間領域、及び第二縁部領域から成る。中間領域は、第一方向に延伸する一軸方向延伸材料であり、第一縁部領域及び第二縁部領域それぞれは、第一方向とは異なる第二方向に延伸する。
【０００７】
本発明の別の態様においては、吸収性物品は、延伸可能な材料を有する外カバーと、該外カバーと重なる関係で接合した延伸可能な身体側ライナーと、外カバーとライナーとの間に位置する吸収性構造体とを含む。外カバー、ライナー、及び吸収性構造体は、縦方向軸及び横方向軸を有するシャーシを形成する。ライナーは、横方向にわたって３つの領域を有し、該３つの領域は、第一縁部領域、中間領域、及び第二縁部領域を含む。中間領域は、実質的に、横方向軸に平行な方向に伸びることを制限し、第一縁部領域及び第二縁部領域のそれぞれは、横方向軸に平行ではない方向に伸びることができる。
【０００８】
本発明の更に別の態様においては、使い棄て吸収性物品は、外カバー、及び外カバーと重なる関係で接合した延伸可能な身体側ライナーを有する。外カバー及びライナーは、縦方向軸及び横方向軸を有するシャーシを形成する。ライナーは、横方向にわたって３つの領域から成り、該３つの領域は、第一縁部領域、縦方向両側の側部を有する中間領域、及び第二縁部領域から成る。中間領域は、実質的に、横方向軸と平行な方向に伸びることを制限され、第一縁部領域及び第二縁部領域それぞれは、多方向に伸びることができる。
【０００９】
本発明の他の特性及び態様は、以下に詳細に述べられる。
【００１０】
本発明の、当業者にとって最も良い形態を含む、完全で実施可能要件に適合する開示が、添付図面を参照して、明細書の残りの部分により特定的に述べられている。
【００１１】
本明細書及び図面の繰り返し使用される参照番号は、本発明における同一の又は類似した特性又は要素を表わすものである。
【発明を実施するための最良の形態】
【００１２】
この開示は、例示的実施形態のみの説明であり、本発明の広い態様を制限するものではないことを、当業者は理解するべきである。
【００１３】
一般的には、本発明は、乾燥時及び湿潤時の適合性を改善し、かつ、製造しやすいように改善するように設計された吸収性物品に向けられる。吸収性物品は、例えば、オムツ、トイレ訓練用パンツ、大人用失禁用衣類、水着用パンツ、又は同様のものとすることができる。本発明により形成された吸収性衣類は、少なくとも１つの方向に延伸する。延伸領域の少なくとも１つは、二軸方向又は多軸方向延伸特性を示すものとすることができる。特に、本発明の吸収性物品は、少なくとも横方向又は縦方向に一軸方向延伸特性を備えた中央延伸領域と、異なる一軸方向に延伸し、及び／又は二軸又は多軸延伸特性を示す側部延伸領域とを有する。
【００１４】
上記したように延伸方向特性を注意深く制御することにより、本発明者は、吸収性物品が改善された適合状態及び外観を示すことを発見した。特に、特定の延伸方向を有する領域は、形状適合特性を示し、股部領域が湿潤した後も、股部領域のたるみ又は垂れ下がりを妨げる。特に、吸収性物品の構造は、物品に液体が放出された後でも、物品が身体と密接に接触するように維持する。物品の構造は、製品が良好に嵌合し、更に製造しやすく、現存するすべての延伸可能製品より安いものとさせる。
【００１５】
一般的に、吸収性物品は、延伸可能な材料及び／又は弾性材料で形成される。ここで用いられる「延伸可能な」という用語は、破断することなく伸張する、変形する又は同様のものとすることができるものであり、伸張力を取り除いた後、著しく収縮することができるか、又は収縮できないものとすることができる。延伸可能な材料は、伸張することができ、回復する場合もあるし、回復できない場合もある。「弾性」又は「エラストマー性」という用語は、ここでは互換性を持って使用されており、引き伸ばし力を除去した後に、材料が、その延伸されていない大きさ及び形状の元来の寸法のかなりの割合を、適当なものとしては少なくとも約５０パーセントを回復することが可能である場合の材料の特性を意味する。特に、本発明と関連して利用される弾性材料は、破断することなく、少なくとも１つの方向に少なくとも１５パーセントを、例えば少なくとも２５パーセントを（最初の延伸されていない長さの少なくとも１２５パーセントまで）、適当なものとしては少なくとも５０パーセントを（最初の延伸されていない長さの少なくとも１５０パーセントまで）、少なくとも１つの方向に引き伸ばす／伸張する、又は延伸することができる。エラストマー性材料又は複合体は、弛緩された長さの少なくとも１００パーセントを、より望ましくは少なくとも２００パーセントを伸ばすことが可能で、延伸力、バイアス力を解除した時に、約１分以内にその伸びの少なくとも３０パーセントを、より望ましくは５０パーセントを回復するものであることが、一般的に有利である。
【００１６】
図１を参照すると、例示的目的で、本発明により形成することができる訓練用パンツ２０などの吸収性物品が示されている。パンツ２０は、使い棄てとすることができるか、又は使い棄てではないものとすることもでき、これは、制限した使用期間の後、洗濯又はその他の方法で再使用のために調整される代わりに、廃棄されることが意図された物品を意味する。本発明は、本発明の範囲から外れることなく、これらに限定されるものではないが、オムツ、女性用衛生製品、失禁用製品、医療用衣類、他の個人ケアー用又は健康ケアー用衣類、及び同様のものを含む、個人が着用するように意図された様々な他の吸収性物品に使用するのに適していることが理解される。
【００１７】
説明のためだけには、本発明の様々な態様の訓練用パンツ２０を形成するための様々な材料及び方法が、以下の同一出願人の特許及び出願、すなわち、２０００年６月２９日付けのＡ．Ｆｌｅｔｃｈｅｒ他のＰＣＴ特許出願ＷＯ００／３７００９、１９９０年７月１０日付けのＶａｎ  Ｇｏｍｐｅｌ他の米国特許第４，９４０，４６４号、１９９８年６月１６日付けのＢｒａｎｄｏｎ他の米国特許第５，７６６，３８９号、２００３年１１月１１日付けのＯｌｓｏｎ他の米国特許第６，６４５，１９０号、及びＳａｗｙｅｒ他の米国一連番号１０／８８１７１８に記載されており、これらは、一貫性がある範囲で（すなわち矛盾することのない範囲で）引用によりここに組み入れられる。
【００１８】
１対の訓練用パンツ２０が、部分的に締結された状態で、図１に代表的に示されている。図１に示された訓練用パンツ２０は又、開かれ、折り畳まれない状態で図２及び３に示されている。具体的に述べると、図２は、オムツ２０の外側を示す平面図であり、図３は、パンツ２０の内側を示している。図２及び３に示されているように、パンツ２０は、着用された時に、訓練用パンツの前部から訓練用パンツの後部に延びる縦方向４８を定める。縦方向４８に対向するのが、横方向４９である。
【００１９】
オムツ２０は、ここでは前領域２２及び後領域２４と示されている１対の縦方向端部領域、及び前領域２２と後領域２４との間を縦方向に延び、かつこれらに相互結合されていて、ここでは股部領域２６と示されている中央領域を定めるシャーシ３２を含む。パンツ２０は、使用中に、着用者に向いて配置されるようにする内側表面２８と、該内側表面の反対側の外側表面３０を定める（例えば、パンツ２０の他の部品に対して位置決めされる）。前領域２２及び後領域２４は、着用された時、着用者の腰部又は低胴部を全体的に又は部分的に覆うか或いは囲むパンツ２０の部分である。股部領域２６は、一般的には、着用された時、着用者の脚部の間に位置するパンツ２０の部分であり、着用者の低胴部及び股部を覆う。訓練用パンツ２０は、１対の横方向両側の側部縁３６と１対の縦方向両側の腰部縁とを有し、それぞれが前腰部縁３８及び後腰部縁３９で示される。
【００２０】
図１から３に示しているように、パンツ２０は、前領域２２で横方向外側に延びる１対の横方向両側の前側部パネル３４、及び後領域２４で横方向外側に延びる１対の横方向両側の後側部パネル１３４を含む。前側部パネル３４及び／又は後側部パネル１３４は、シャーシ３２と一体とすることができるか、又はシャーシに取り付けられる別個の部品を含むことができる。パンツ２０は、一般的には、外カバー４０、身体側ライナー４２、及び吸収性構造体４４、フラップ４６、締結システム８０、及び腰部弾性部材（５４、５６）及び脚部弾性部材（５８）を含むことができる。パンツ２０の各々の部品は、以下に述べられる。
【００２１】
側部パネル３４及び１３４は、シャーシ３２と一体の部分として形成することができ、ライナー４２により部分が形成される。例えば、側部パネル３４、１３４は、外カバー４０、身体側ライナー４２、及び／又はシャーシ３２の他の部品より全体的に広い部分を含むことができる。上記したように、側部パネル３４及び１３４は、あらゆる適当な締結システム８０を使用して、互いに取り付けることができる。
【００２２】
図面に示された実施形態においては、側部パネル３４及び１３４は、取り外し可能に取り付けることができる。しかしながら他の実施形態においては、側部パネル３４及び１３４は、互いが永久的に接合することができることを理解するべきである。例えば、側部パネルは、一体の材料片から形成することができる。代替的には、側部パネルは、超音波接着、熱接着又は接着剤を使用して、互いを接着することができる。この実施形態においては、吸収性物品は、着用するとき、脚部上を引き上げられる。
【００２３】
本発明の代替的実施形態においては、側部パネル３４及び１３４は、図５に示されるように、シャーシ３２に別個に取り付けることができる。ライナー４２から形成された側部パネルは、身体排出物が、ライナー４２のいずれかの部分と接触することが可能であるが、このようなパネルとは違って、別個に取り付けられた側部パネルは、身体排出物を受け取り、吸収し、接触することが意図されるものではない。しかしながら、このような接触は、意図しないでも生じることがある。別個の前側部パネル３４は、シャーシに永久的に接着することができ、シャーシ３２の側縁を越えて横方向外側に延びる。同様に、後側部パネル１３４は、シャーシ３２に永久的に接着することができ、シャーシ３２の側縁及び後領域２４を越えて横方向外側に延びる。側部パネル３４及び１３４は、接着剤、熱接着、又は超音波接着などの、当業者に知られている取り付け手段を使用して、シャーシ３２に接着することができる。
【００２４】
前側部パネル３４及び後側部パネル１３４の各々は、縦方向外側縁６８、訓練用パンツ２０の縦方向中央に向かって位置する脚部端部縁７０、及び吸収性物品の縦方向端部に向かって位置する腰部端部縁７２を有する。側部パネル３４及び１３４の脚部端部縁７０及び外側縁６８は、訓練用パンツ２０のパンツ側縁３６の部分を形成する。吸収性物品２０の脚部端部縁７０は、適当なものとしては、横方向４９に対して湾曲及び／又は傾斜をもつものとすることができ、着用者の脚部周囲に、良好な嵌合を形成する。しかしながら、本発明の範囲から外れることなく、脚部端部縁７０の１つだけが、後領域２４の脚部端部縁のように湾曲又は傾斜することができるか、又は代替的にはどの脚部端部縁も湾曲又は傾斜しないことが理解される。腰部端部縁７２は、適当なものとしては、横方向軸４９に平行とする。前側部パネル３４の腰部端部縁７２は、訓練用パンツ２０の前腰部縁３８の部分を形成し、後側部パネル１３４の腰部端部縁７２は、パンツの後腰部縁３９の部分を形成する。
【００２５】
図５に示されるように、側部パネル３４、１３４が別個に取り付けられる場合には、側部パネルは、少なくとも訓練用パンツ２０の横方向４９にほぼ平行な方向に延伸することが可能な弾性材料により形成することができる。適当な弾性材料、並びに弾性側部パネルを訓練用パンツに組み込む１つの方法は、１９９０年７月１０日付けのＶａｎ  Ｇｏｍｐｅｌ他の米国特許第４，９４０，４６４号、１９９３年７月６日付けのＰｏｈｊｏｌａの米国特許第５，２２４，４０５号、１９９２年４月１４日付けのＰｏｈｊｏｌａの米国特許第５，１０４，１１６号、及び１９９１年９月１０日付けのＶｏｇｔ他の米国特許第５，０４６，２７２号に記載されており、これらすべての特許は引用によりここに組み入れられる。特定の態様においては、弾性材料は、延伸熱接合積層体（ＳＴＬ）、ネック付与状態で接着した積層体（ＮＢＬ）、可逆的にネック付与した積層体、又は延伸接着した積層体（ＳＢＬ）材料を含むことができる。このような材料の形成法は、当業者によく知られており、１９８７年５月５日付けのＷｉｓｎｅｓｋｉ他の米国特許第４，６６３，２２０号、１９９３年７月１３日付けのＭｏｒｍａｎの米国特許第５，２２６，９９２号、１９８８年１月１９日付けのＴａｙｌｏｒ他の米国特許第４，７２０，４１５号、及びＷｅｌｃｈ他のＰＣＴ出願ＷＯ０１／８８２４４５に記載されており、これら全体は、一貫性がある範囲で（すなわち、矛盾することのない範囲で）引用によりここに組み入れられる。代替的には、側部パネル材料は、外カバー４０及び／又は身体側ライナー４２の形成に適したものとして後に述べられているような、他の織成材料又は不織材料、機械的に予め歪められた複合体、又は延伸可能ではあるが非弾性の材料を含むことができる。
【００２６】
図１−３を参照すると、シャーシ３２は、外カバー４０、及び接着剤、超音波接着、熱接着、又は他の従来の技術によって、重なる関係で外カバー４０に接合することができる多区分身体側ライナー４２を含む。図３を参照すると、ライナー４２は、適当なものとしてはシャーシ３２の周辺に沿って外カバー４０と接合して、前腰部シーム６２及び後腰部シーム６４を形成することができる。図３に示されているように、ライナー４２は、適当なものとしては、外カバー４０に接合して、前領域２２及び後領域２４に１対の側部シーム６１を形成することができる。ライナー４２は全体的に、吸収性物品の着用中に、物品２０の他の部品に対して、着用者の皮膚に向くように配置されるようにさせる、すなわち位置決めすることができる。
【００２７】
上記したように、本発明の多区分身体側ライナー４２は、特に、選択領域において、吸収性物品の異なる延伸方向に向けられる。図４を参照すると、パンツの一実施形態で、ライナー４２の各々の部分において延伸方向を矢印で示している平坦な状態の吸収性物品２０が示されている。示されているように、パンツ２０のライナー４２は、説明の目的のために、少なくとも３つの領域に区分される。該領域は、第一縁部領域１００、中間領域１０２及び第二縁部領域１０４を含む。
【００２８】
中間領域に含まれる延伸方向は、特定の環境及び望まれる結果に応じて、縁部領域において延伸方向は変化する。最も適当なものとしては、本発明の幾つかの実施形態においては、中間領域１０２は、横方向４９のみに延伸し、縁部領域１００、１０４は、二軸方向、多軸方向又は縦方向に延伸する。別の実施形態においては、中間領域１０２は、縦方向４８にのみ延伸し、縁部領域１００、１０４は、二軸方向、多軸方向又は横方向４９に延伸する。ここで用いられる「二軸方向」という用語は、一方向より多い方向に延伸可能であるが、他の方向より１つの方向において一層延伸することを示す延伸可能な材料として定められる。二軸方向延伸材料は、２つより多い方向に延伸可能である。「多軸」という用語は、１より多い方向に延伸可能であるが、他の方向に比べて１つの方向により大きく延伸することがない延伸可能な材料として定義される。
【００２９】
本発明の一実施形態においては、縁部領域１００、１０４は、それぞれが縦方向及び横方向の二軸方向４８、４９に最も延伸することができる。二軸材料において他のあらゆる方向が可能であることを当業者は認識するであろう。前に組み込まれた米国特許出願一連番号１０／８８１７１８に開示されているように、縁部領域は、中間領域の延伸とは異なる割合の延伸を有することができる。
【００３０】
上記した構成を通して、パンツ２０は、着用した時に、心地よさを最大にするだけでなく、美的に好まれる外観を付与するような形状適合特性が与えられる。例えば、様々な領域において、異なる延伸特性をもった異なる材料を使用すると、吸収性衣類が湿潤した後でも、股部領域を着用者に近接して維持する。更に、ライナーの一部が、単一方向に延伸するように限定されている安価な材料を含むと、製品はより経済的に製造される。別の利点は、加工においてであり、１００パーセント二軸方向性ではない材料を利用することは、かなり容易である。特に、ライナー４２が、二軸方向延伸の縁部領域及び横方向延伸の中間領域から形成される場合は、ライナー全体は、機械方向（パンツ形成におけるＭＤ方向）に延伸しないので、加工中に一層取り扱いしやすいものとすることができる。
【００３１】
本発明により形成された吸収性物品の上記した延伸特性は、横方向においてライナー４２に単独で含まれることを理解するべきである。ここで用いられるライナーの延伸特性は、フラップ弾性材、腰部弾性部材、弾性ガスケット部品、又は脚部弾性部品などのあらゆる付随する部品の特性とは関係のないものである。
【００３２】
例えば図５を参照すると、前側部パネル３４及び後側部パネル１３４がシャーシ３２と一体ではない場合には、ライナー４２縁部領域１００及び１０４と中間領域１０２は、前及び後側部パネルとは関係ない。例えば、図５に示しているように、シャーシ３２は、上記した延伸特性を有する３つの領域１００、１０２及び１０４に分割される。
【００３３】
図３に示された弾性収容フラップ４６は、訓練用パンツ２０の少なくとも股部領域２６において、直立した形態を呈する、部分的に取り付けられていない縁部を定め、着用者の身体に対してシールを形成する。収容フラップ４６は、シャーシ３２の長さ全体にわたって縦方向に延びるものとすることができ、又はシャーシの長さに沿って部分的にのみ延びることができるものとすることができる。適当なものとしては、フラップ４６は、ライナー４２の中間又は縁部領域から形成されるが、別個の材料から形成することもできる。図３及び７を参照すると、フラップ４６は、フラップ接合ビード２４０によりシールされて、中間領域１０２の近傍の側縁２４２でフラップ４６の長さ全体に延びる。フラップ接合ビードは、接着剤、圧力接着、熱接着、超音波接着又はこれらの組み合わせとすることができる。
【００３４】
各々の腰部領域で、フラップ４６は、前及び後腰部領域２２及び２４に平らに置かれるように、中間領域１０２に固定される。フラップ４６は、ここで示されたような接着領域又は他の接着方法或いは材料で固定され、該領域は、延伸の程度を著しくは制限しないので、デッドゾーンといわれる。両方の腰部領域においては、各々のデッドゾーン２４４及び２４６は、フラップビード２４０からフラップ４６の幅２４８の約半分の長さまで延びる。前腰部領域２４においては、デッドゾーン２４４は、縁部３８から吸収性要素４４まで内側に延びる。後腰部領域２４においては、デッドゾーン２４６は、縁部３９から内側に延びて、吸収性要素４４に重なる。デッドゾーン２４６は、およそ縦方向外側縁６８の長さまで、内側に延びる。代替的には、図示されていないが、前又は後腰部領域の各々のデッドゾーンは、フラップ４６の幅２４８を越えて全体に延びることができる。
【００３５】
収容フラップ４６に対する適当な形態及び配列は、全体的に当業者によく知られており、１９８７年１１月３日付けのＥｎｌｏｅの米国特許第４，７０４，１１６号に記載されており、引用によりここに組み入れられる。
【００３６】
着用者により排出された液体身体排出物を吸収するために、実質的に非弾性の吸収性構造体４４が、外カバー４０とライナー４２との間に配置される。例えば、接着剤１１４を使用して、外カバー４０に取り付けられた吸収性構造体４４が示されている。吸収性構造体４４を外カバー４０に取り付けることにより、外カバー４０及びライナー４２の延伸特性は、特に中間領域１０２において著しく妨げられる。本発明によると、接着剤１１４を、ビード２５０として付与することができる。図３及び７に示されるように、この特定の実施形態においては、中間領域１０２は、横方向４９のみに延伸可能であるので、ビード２５０は、吸収性構造体４４の長さ方向に延びる。代替的手段においては、中間領域１０２が機械方向に延伸するように限定される場合は、１対の間隔を持った接着剤のビードは、縦方向４９に方向付けされる。もちろん、接着剤のパターンは、当技術において知られているように使用することができる。
【００３７】
吸収性物品２０を形成するために使用される接着剤１１４は、付与するためのあらゆる適当な接着剤とすることができる。例えば、一実施形態においては、ホットメルト接着剤を使用することができる。ホットメルト接着剤は、例えば、Ｂｏｓｔｉｋ  Ｆｉｎｄｌｅｙ  Ａｄｈｅｓｉｖｅｓ，Ｉｎｃ．から商業的に入手可能なＦＩＮＤＬＥＹ  Ｈ−２０９６又はＨ−２５２５Ａなどの適当な接着剤のいずれかとすることができる。
【００３８】
接着剤の使用に加えて、吸収性構造体４４を外カバー４０及び／又はライナー４２に取り付けるために、様々な他の取り付け装置を使用することができる。例えば、他の実施形態においては、吸収性構造体は、超音波によりシャーシ３２に接着されるか、熱によりシャーシ３２に接着されるか、又は熱捲縮を使用して接着することができる。他の実施形態においては、フック・ループ型締結システムなどの機械的取り付け構造が、吸収性構造体をシャーシに固定するために使用することができる。
【００３９】
吸収性物品２０は、サージ処理層６０（図１参照）を更に含むことができ、任意ではあるが、吸収性構造体４４の近傍に位置し、接着剤を使用するなどの当業者に知られている方法によって、吸収性構造体４４又は身体側ライナー４２などの物品２０の様々な部品に取り付けることができる。更にここに示されているように、サージ処理層は、延伸が望まれる部分では、延伸を妨げないような方法でパンツ２０に取り付けられる。サージ処理層６０は、液体のサージ又は放出を減速及び放散させて、物品の吸収性構造内に急速に導くことができる。サージ処理層は、液体を急速に受け入れて、該液体を吸収性構造体の貯蔵部分又は保持部分に放出する前に、一時的に保持することができることが望ましい。適当なサージ処理層の例としては、米国特許第５，４８６，１６６号、及び第５，４９０，８４６号に記載されている。他の適当なサージ処理材料は、米国特許第５，８２０，９７３号に記載されている。これらの特許の開示全体は、一貫性のある範囲で（矛盾することのない範囲で）引用によりここに組み入れられる。
【００４０】
図１に部分的に示されているような締結状態の訓練用パンツ２０では、前及び後側部パネル３４、１３４は、締結システム８０によって互いに結合することができ、腰部開口５０及び１対の脚部開口５２を有する３次元パンツ形態を定める。前及び後側部パネル３４及び１３４は、パンツ２０を着用する時に、着用者の臀部上に位置する訓練用パンツの部分を含む。訓練用パンツ２０の腰部縁３８及び３９は、着用者の腰部を囲み、互いがパンツの腰部開口５０を定めるように形成される。
【００４１】
締結システム８０は、第二締結部品８４に対応する再締結可能な係合に適した、横方向両側の第一締結部品８２を含むことができる。一態様においては、締結部品８２、８４の各々の前又は外側表面は、複数の係合要素を含む。第一締結部品８２の係合要素は、３次元形態で取り外し可能に物品２０を固定するために、第二締結部品８４の対応する係合要素を繰り返して係合及び取り外しさせる。
【００４２】
締結部品８２、８４は、接着剤締結具、粘着材締結具、機械締結具、又は同様のものなどの、吸収性物品に対して適当なあらゆる再締結可能な締結具とすることができる。特定の態様においては、締結部品は、性能を改善するための機械的締結要素を含む。適当な機械的締結要素は、フック、ループ、バルブ、マッシュルーム型、矢じり型、ステム上のボール、雄・雌結合部品、バックル、スナップ、又は同様のものなどの、相互係合する幾何学的形状の材料により形成することができる。
【００４３】
示された態様においては、第一締結部品８２はループ締結具を含み、第二締結部品８４は相補的フック締結具を含む。代替的には、第一締結部品８２はフック締結具を含むことができ、第二締結部品８４は相補的ループ締結具とすることができる。別の態様においては、締結部品８２、８４は、同様の表面締結具、又は接着剤締結具及び接着剤受容可能なランディング領域又は材料、又は同様のものなどの、接着剤及び粘着剤締結要素と相互係合することができる。図１に示された訓練用パンツ２０は、結合した時に、後側部パネル１３４が前側部パネル３４に重なるように示しており、これは便利ではあるが、訓練用パンツ２０は、結合した時に、前側部パネル３４が後側部パネル１３４に重なるように形成することもできる。フック・ループ型の形状、密度及びポリマー組成物は、締結部品８２、８４間に望ましいレベルの係合を得られるように選択することができることを当業者は理解するものである。任意ではあるが、締結部品８２、８４のいずれか１つ又はこれら両方は、側部パネル３４及び１３４の内側表面２８又は外側表面３０の１つにより形成することができる。適当な締結システムは、前に組み込まれた２０００年６月２９日付けのＰＣＴ特許出願ＷＯ００／３７００９及び前に組み込まれた２００３年１１月１１日付けのＯｌｓｏｎ他の米国特許第６，６４５，１９０号に記載されている。
【００４４】
更に身体排出物の収容及び／又は吸収を促進するために、訓練用パンツ２０は、適当なものとしては、当業者に知られているように、前腰部弾性部材５４（図１）、後腰部弾性部材５６、及び脚部弾性部材５８（図３）を含むことができる。腰部弾性部材５４及び５６は、外カバー４０及び／又は身体側ライナー４２に作動的に接合することができ、腰部縁３８、３９の部分又は全体にわたって延びることができる。腰部弾性部材５４及び５６は、弾性材料の単一片を含むことができるか、又は互いが結合するか、或いは互いが間隔を持って位置するかのいずれかである、複数の個々の部品を含むことができる。脚部弾性部材５８は、外カバー４０及び／又は身体側ライナー４２に作動的に接合することができ、訓練用パンツ２０の股部領域２６内に位置決めされる。
【００４５】
腰部弾性部材５４及び５６、及び脚部弾性部材５８は、あらゆる適当な弾性部材で形成することができる。当業者によく知られているように、適当な弾性材料は、天然ゴムのシート、ストランド又はリボン、合成ゴム、又は熱可塑性エラストマー性ポリマーを含む。弾性材料は、延伸されて基体に粘着されるか、ギャザー寄せされた基体に粘着されるか、又は基体に粘着した後、例えば熱の付与などで弾性化又は収縮されて、弾性収縮力を基体に与えることができる。例えば、１つの特定の態様においては、脚部弾性部材５８は、米国デラウエア州ウイルミントンのＩｎｖｉｓｔａから入手可能なＬＹＣＲＡという商標名で販売されている、複数のドライスピニング法により得られた、撚り合わされたマルチフィラメントスパンデックスエラストマー性糸を含むことができる。
【００４６】
上記した延伸方向特性を有する吸収性物品２０を形成するために、様々な技術を使用することができる。本発明によって吸収性物品を形成する場合は、例えば、外カバー４０を弾性として、身体側ライナー４２を延伸可能とするか、或いはその反対とすることができる。他の実施形態においては、外カバーと身体側ライナーの両方が、弾性とすることができる。物品の構成に応じて、吸収性構造体４４は、延伸可能及び／又は弾性とすることができる。
【００４７】
１つの特定の実施形態においては、外カバー４０及び／又は身体側ライナー４２は、延伸可能な材料及び／又は弾性材料から形成することができる。これらの材料は、物品に横方向において延伸特性を与えるような方法で、パンツ２０に組み込まれる。
【００４８】
上記したように、外カバー４０、身体側ライナー４２及び／又は吸収性構造体４４は、互いに取り付けられる多部品及び別個の片から形成されて、望ましい延伸特性を有する吸収性物品２０を形成する。例えば、縁部領域１００及び１０４を形成するために、２つの材料片を使用することができる。これらの材料片は、シャーシ３２の中間領域１０２とは異なる方向に延伸可能及び／又は弾性とすることができる。３つの材料片は、熱接着、圧力接着又は同様のものなどのあらゆる適当な取り付け技術を使用して、或いは接着剤を使用して、互いを結合又は取り付けることができる。この実施形態においては、外カバー、ライナー、又は外カバーとライナーの両方は、３つの別個の材料片から形成することができ、望ましい延伸特性を形成することを介助する。
【００４９】
外カバー４０、内側ライナー４２及び吸収性構造体４４は、特定の用途及び望ましい結果に応じて、多くの異なる材料から形成することができる。すべての３つの層は、例えば、延伸可能及び／又は弾性とすることができる。
【００５０】
外カバー４０は、様々な材料から形成することができる。例えば、外カバー４０は、通気性とすることができ、及び／又は液体不透過性とすることができる。外カバー４０は、単一層、多層、積層体、スパンボンド布、フィルム、メルトブローン布、弾性網目、マイクロポーラスウエブ、ボンデッドカーデッドウエブ、又はエラストマー性或いはポリマー性材料により形成された発泡体で構成することができる。例えば、外カバー４０は、液体不透過性材料の単一層とすることができるか、又は代替的には、少なくとも１つの層が液体不透過性である多層積層体構造とすることができる。しかしながら他の実施形態においては、外カバーは、液体透過性とすることができることを理解するべきである。この実施形態においては、例えば、吸収性物品は、内部液体バリア層を含むことができる。
【００５１】
例えば、外カバー４０は、液体透過性外側層及び液体不透過性内側層を含むことができ、適当なものとしては、これらは、互いに積層体接着剤、超音波接着、熱接着、圧力接着又は同様のものなどにより接合される。ビーズ、スプレー、平行渦巻き、又は同様のものとして、連続して又は断続的に付与することができる適当な積層体接着剤は、米国ウイスコンシン州ウオーワトサのＢｏｓｔｉｋ  Ｆｉｎｄｌｅｙ  Ａｄｈｅｓｉｖｅｓ，Ｉｎｃ．から、又は米国ニュージャージー州ブリッジウオーターのＮａｔｉｏｎａｌ  Ｓｔａｒｃｈ  ａｎｄ  Ｃｈｅｍｉｃａｌ  Ｃｏｍｐａｎｙから得ることができる。液体透過性外側層は、あらゆる適当な材料とすることができ、全体的に布のような手触りを与えるものが望ましい。このような材料の一例としては、２０ｇｓｍ（グラム／平方メートル）のスパンボンドポリプロピレン不織ウエブがある。外側層は、液体透過性身体側ライナー４２が形成されるような材料で形成することができる。
【００５２】
外カバー４０の内側層は、液体と蒸気の両方に不透過性であるか、又は液体不透過性でかつ蒸気透過性とすることができる。内側層は、薄い可塑性フィルムから形成することができるが、他の可撓性液体不透過性材料も使用することができる。内側層、又は単一層の場合の液体不透過性外カバー４０は、ベッド用シーツ及び布などの物品、並びに着用者及び介護人が、廃棄物質で湿潤しないようにさせる。液体不透過性内側層、又は単一層の液体不透過性外カバー４０として使用するために適当な液体不透過性フィルムは、米国イリノイ州シャウムバーグのＰｌｉａｎｔ  Ｃｏｒｐｏｒａｔｉｏｎから商業的に入手可能な０．０２ミリメートルのポリエチレンフィルムである。
【００５３】
外カバー４０は、延伸可能であり、任意ではあるが弾性である。外カバー４０として使用することができる弾性不織積層体ウエブは、１つ又はそれ以上のギャザー寄せ可能な不織ウエブ、フィルム、又は発泡体に接合された不織材料を含む。延伸接着した積層体（ＳＢＬ）及びネック付与状態で接着した積層体（ＮＢＬ）が、エラストマー性複合体の例である。不織布は、統制がとれた手法で相互結合される個々の繊維の構造を形成する布織り工程を使用せずに形成した、あらゆる材料のウエブである。
【００５４】
適当な材料の例としては、スパンボンドーメルトブローン布、スパンボンドーメルトブローンースパンボンド布、スパンボンド布、又はフィルム、発泡体、又は他の不織ウエブを有する布の積層体がある。エラストマー性材料は、ポリエチレン、ポリプロピレン、又はポリオレフィンエラストマー、並びにこれらの組み合わせから成るキャスト又はブローンフィルム、発泡体、メルトブローン布、又はスパンボンド布を含むことができる。エラストマー性材料は、ＰＥＢＡＸエラストマー（ペンシルベニア州フィラデルフィアに所在するＡｔｏＣｈｅｍから入手可能）、ＨＹＴＲＥＬエラストマー性ポリエステル（デラウエア州ウイルミントンのＩｎｖｉｓｔａから入手可能）、ＫＲＡＴＯＮエラストマー（テキサス州ヒューストンのＫｒａｔｏｎ  Ｐｏｌｙｍｅｒｓから入手可能）又はＬＹＣＲＡエラストマーのストランド（デラウエア州ウイルミントンのＩｎｖｉｓｔａから入手可能）、又は同様のもの、並びにこれらの組み合わせを含むことができる。外カバー４０は、機械工程、印刷工程、加熱工程、又は化学処理を通して、エラストマー性特性を有する材料を含むことができる。例えばこれらの材料は、孔形成され、クレープ加工され、ネック付与の伸長が与えられ、熱活性化され、溝形成され、エンボス加工され、及びミクロ歪みさせることができ、更にフィルム、ウエブ及び積層体の形態とすることができる。
【００５５】
二軸方向延伸可能な外カバー４０に適当な材料は、二軸方向延伸可能な材料及び二軸方向弾性の延伸可能な材料を含む。適当な外カバー材料の一例としては、０．３ｏｓｙ（１０．２ｇｓｍ）のポリプロピレンスパンボンドを含むことができ、これは、横方向４９に６０パーセントネック付与され、縦方向４８に６０パーセントクレープ加工され、３グラム／平方メートル（ｇｓｍ）のＦｉｎｄｌｅｙ２５２５Ａスチレンーイソプレンースチレンベースの接着剤で、２０パーセント濃度の二酸化チタンを有する８ｇｓｍのＰＥＢＡＸ２５３３フィルムに積層されたものである。
【００５６】
二軸方向延伸可能な外カバー４０に適当な材料の別の例としては、通気性弾性フィルム／不織積層体があり、これはＭｏｒｍａｎ他の米国特許第５，８８３，０２８号に記載されており、一貫性がある範囲で（すなわち、矛盾することのない範囲で）引用によりここに組み入れられる。２方向の延伸性及び収縮性を有する材料の例としては、Ｍｏｒｍａｎの米国特許第５，１１６，６６２号及びＭｏｒｍａｎの米国特許第５，１１４，７８１号に記載されており、これらの両特許は、一貫性がある範囲で（すなわち、矛盾することのない範囲で）引用によりここに組み入れられる。これらの２つの特許は、少なくとも２つの方向に延伸が可能な、複合弾性材料を示している。材料は、少なくとも１つの弾性シートと、少なくとも３つの位置で、非線状形態に配列された弾性シートに接合された、少なくとも１つのネック付与した材料又は可逆的にネック付与した材料とを有し、ネック付与したウエブ、又は可逆的にネック付与したウエブは、これらの位置の少なくとも２つの間でギャザー寄せされる。
【００５７】
身体側ライナー４２は、しなやかで、柔軟な感触、及び着用者の皮膚に刺激を与えないものが適当である。身体側ライナー４２は、その厚さを通って、液体身体排出物が吸収性構造体４４にまで容易に挿通することを可能とさせるのに、十分液体透過性である。適当な身体側ライナー４２は、多孔性発泡体、網目状発泡体、孔あき可塑性フィルム、織成ウエブ及び不織ウエブ、又はあらゆるこれらの材料の組み合わせなどのウエブ材料から広く選択して形成することができる。例えば、身体側ライナー４２は、メルトブローンウエブ、スパンボンドウエブ、又は天然繊維、合成繊維又はこれらの組み合わせから成るボンデッドカーデッドウエブを含むことができる。身体側ライナー４２は、実質的には疎水性材料で形成することができ、更に疎水性材料は、任意ではあるが、望ましい程度の湿潤性及び親水性を与えるために、表面活性剤で処理されるか、又はその他の方法で加工することができる。
【００５８】
身体側ライナー４２は、延伸可能とすることができ、更により適当なものとしては、エラストマー性とすることができる。身体側ライナー４２の形成のための適当なエラストマー性材料は、弾性ストランド、ＬＹＣＲＡ弾性材、キャスト又はブローン弾性フィルム、不織弾性ウエブ、メルトブローン又はスパンボンドエラストマー性繊維性ウエブ、並びにこれらの組み合わせを含むことができる。適当なエラストマー性材料の例としては、ＫＲＡＴＯＮエラストマー、ＨＹＴＲＥＬエラストマー、ＥＳＴＡＮＥエラストマー性ポリウレタン（オハイオ州クリーブランドのＮｏｖｅｏｎから入手可能）、又はＰＥＢＡＸエラストマーを含む。
【００５９】
付加的例として、一態様においては、身体側ライナー４２は、適当なものとしては、不織材で、およそ６０パーセントネック付与されて、約１２ｇｓｍの基本重量を有するウエブに形成された約２から３デニールの繊維から成るスパンボンドポリプロピレン布を含む。１インチ（２．５４ｃｍ）当たり８個のストランドを配置した、約９ｇｓｍのＫＲＡＴＯＮ  Ｇ２７６０エラストマー材料のストランドが、ネック付与したスパンボンド材料に粘着される。布は、米国デラウエア州ウイルミントンに所在するＩＣＩ  Ａｍｅｒｉｃａｓから入手可能な、約０．６パーセントのＡＨＣＯＶＥＬ  Ｂａｓｅ  Ｎ６２表面活性剤などの、有効量の表面活性剤で表面処理される。表面活性剤は、スプレー塗布、印刷、ブラシ被膜又は同様のものなどの、あらゆる従来の手段により塗布することができる。他の適当な材料は、ネック付与の伸長が与えられた／クレープ加工されたスパンボンドなどの、延伸可能な二軸方向延伸可能材料とすることができる。身体側ライナー４２は、２０００年５月３日付けのＲｏｅｓｓｌｅｒ他の米国特許出願一連番号０９／５６３，４１７に記載されているような、延伸可能な材料から形成することができる。身体側ライナー４２は、２０００年１０月２７日付けのＶｕｋｏｓ他の米国特許出願一連番号０９／６９８，５１７に記載されているような、二軸方向延伸可能材料から形成することができる。
【００６０】
外カバー４０及び／又はライナー４２をより伸長可能にするために、又は外カバー又はライナーの延伸特性を制御するために、材料は孔形成することができる。弾性側部パネルは、延伸特性を増加させるために、孔形成することができる。材料に形成された孔は、スリット又は穴などの、あらゆる適当な形状とすることができる。
【００６１】
吸収性構造体４４は、全体的に圧縮性で、順応性があり、着用者の皮膚に刺激がなく、液体及びある種の身体排出物を吸収及び保持することが可能な、あらゆる構造又は成分の組み合わせとすることができる。例えば、吸収性構造体４４は、セルロース系繊維（例えば、木質パルプ繊維）の吸収性ウエブ材料、他の天然繊維、合成繊維、織成又は不織シート、粗く織ったネット又は他の安定構造体、超吸収性材料、結合材材料、表面活性剤、選択した疎水性材料、顔料、ローション、臭気調整剤又は同様のもの、並びにこれらの組み合わせを含むことができる。特定の態様においては、吸収性ウエブ材料は、セルロース系フラフのマトリックス及び超吸収性ヒドロゲル形成粒状物である。セルロース系フラフは、木質パルプフラフの混合物を含むことができる。フラフの１つの好ましい型は、米国サウスカロライナ州グリーンヴィルのＢｏｗａｔｅｒから入手可能な、登録商標ＣＲ１６５４と認識されており、これは主に南方軟材木質繊維を含む、漂白された、高度に吸収性のある硫酸塩木質パルプである。吸収性材料は、様々な従来の方法及び技術を使用して、ウエブ構造に形成することができる。例えば、吸収性ウエブは、乾燥時形成技術、空気形成技術、湿潤時形成技術、発泡体形成技術、又は同様のもの、並びにこれらの組み合わせで形成することができる。このような技術を実行するための方法及び装置は、当業者によく知られている。更に、吸収性構造体は、Ｚ方向に多層を含むことができる。このような多層は、低容量の吸収性材料層をライナー４２の近くに配置し、高容量の吸収性材料を外カバー層４０の近くに配置することにより、吸収容量の違いを利用することができる。同様に、吸収体単一層構造の個々の部分は、高容量の吸収体を含み、構造体の他の個々の部分は、低容量の吸収体を含むことができる。
【００６２】
一般的に、超吸収性材料は、ウエブの総重量に対して、約０から約９０重量パーセントの量で、吸収性ウエブ内に存在する。ウエブは、約０．１０から約０．６０グラム／立方センチメートルの範囲内の密度を有することができる。
【００６３】
超吸収性材料は、当業者によく知られており、天然、合成、及び変成天然ポリマー及び材料から選択することができる。超吸収性材料は、シリカゲルなどの無機材料、又は架橋結合したポリマーなどの有機化合物とすることができる。典型的には、超吸収性材料は、液体で、その重量の少なくとも約１０倍を吸収することが可能であり、望ましくは、液体でその重量の約２５倍より多くを吸収することが可能である。適当な超吸収性材料は、様々な供給者から容易に入手することができる。例えば、ＳＸＭ９３９４及びＦａｖｏｒ９５４３超吸収体は、ＤｅＧｕｓｓａ  Ｓｕｐｅｒａｂｓｏｒｂｅｒｓから入手可能である。
【００６４】
望ましい形状に形成した後又は切断した後、吸収性ウエブ材料は、吸収性構造体４４の一体性及び形状を維持することを介助する適当なティッシュ、又はメルトブローンウエブ又は同様のもの、ラップシートによりラップされるか又は囲むことができる。
【００６５】
吸収性ウエブ材料は、コフォーム材料とすることができる。「コフォーム材料」という用語は、一般的には、熱可塑性繊維及び第二非熱可塑性材料の混合物又は安定したマトリックスを含む複合材料を意味する。例えば、コフォーム材料は、少なくとも１つのメルトブローンダイヘッドが、シュートの近くに配列されて、形成中に、そこを通って他の材料がウエブに添加されるという方法によって形成することができる。このような他の材料は、これらに限定されるものではないが、木質パルプなどの繊維性有機材料、又は綿などの非木質パルプ、レーヨン、再生紙、パルプフラフ及び超吸収性粒状物、無機吸収性材料、処理済ポリマー性ステープル繊維及び同様のものを含むことができる。種々異なる合成ポリマーのいずれも、コフォーム材料の溶融紡糸された成分として利用することができる。例えば、ある態様においては、熱可塑性ポリマーを利用することができる。利用することができる適当な熱可塑材の幾つかの例としては、ポリエチレン、ポリプロピレン、ポリブチレン及び同様のものなどのポリオレフィン、ポリアミド、及びポリエステルを含む。一態様においては、熱可塑性ポリマーはポリプロピレンである。このようなコフォーム材料の幾つかの例としては、Ａｎｄｅｒｓｏｎ他の米国特許第４，１００，３２４号、Ｅｖｅｒｈａｒｔ他の米国特許第５，２８４，７０３号、及びＧｅｏｒｇｅｒ他の米国特許第５，３５０，６２４号に記載されており、一貫性がある範囲で（すなわち、矛盾することのない範囲で）引用によりここに組み入れられる。
【００６６】
本発明の吸収性物品の特定の態様においては、吸収性構造体４４はエラストマー性とすることができる。この目的に対して、吸収性ウエブ材料は、少なくとも最小で約２重量パーセントの量で、エラストマー性繊維を含むことができる。エラストマー性繊維の量は、改善した性能を提供するためには、代替的には、少なくとも約３重量パーセントとすることができ、更に任意ではあるが少なくとも約５重量パーセントとすることができる。更に、エラストマー性繊維の量は、約６０重量パーセントを越えないものとする。代替的には、改善した利益を提供するためには、エラストマー性繊維の量は、約４５重量パーセントを越えないものとすることができ、更に任意ではあるが、約３０重量パーセントを越えないものとすることができる。これらの値は、吸収性構造体の物理的特性又は液体処理特性を過度に劣化させることなく、望ましい程度の延伸性及び構造安定性に影響を与えることにより、吸収性構造体４４に影響を与えることができる。非常に低い割合のエラストマー性繊維を有する吸収性ウエブ材料は、十分に延伸可能ではなく、非常に高い割合のエラストマー性繊維を有するウエブ材料は、取り込みの低下、分散の低下、液体保持の低下などの吸収性機能に著しい劣化を示すこととなる。
【００６７】
吸収性構造体４４は、エラストマー性コフォーム吸収性ウエブ材料を含むことができる。このような材料は、例えば、米国特許第６，２３１，５５７号及び第６，３６２，３８９号に記載されており、一貫性のある範囲で（すなわち、矛盾することのない範囲で）引用によりここに組み入れられる。特定の態様においては、エラストマー性コフォーム材料は、少なくとも約５０ｇｓｍ、例えば約１２００ｇｓｍまでのコフォーム全体の基本重量を有することができる。例えば、コフォーム基本重量は、少なくとも約１００ｇｓｍ、例えば少なくとも約２００ｇｓｍとすることができる。これらの値は、吸収性構造体の物理的特性又は液体処理機能を過度に劣化させることなく、望ましい延伸性及び構造安定性を有する吸収性構造体を形成することができる。例えば、非常に低い割合のエラストマー性コフォーム材料を有する保持部分は、十分に延伸可能ではない。反対に、非常に大きい量のエラストマー性コフォーム材料を有する吸収性ウエブ材料は、取り込み、分散及び／又は保持特性を非常に劣化させるなどの、吸収性機能の過度の劣化を示すこととなる。
【００６８】
使用可能なエラストマー性吸収性本体の他の例としては、国際特許出願ＷＯ０３／０５１２５４及び米国特許第５，９６４，７４３号、第５，６４５，５４２号、第６，２３１，５５７号、及び第６，３６２，３８９号に記載されており、それぞれは一貫性のある範囲で（すなわち、矛盾することのない範囲で）引用によりここに組み入れられる。
【００６９】
本発明に対するこれらの及び他の修正及び変更は、本発明の思想及び範囲から外れることなく当業者により実施することができ、これは添付した特許請求の範囲に、より特定的に述べられる。更に、様々な実施形態の態様は、全体又は部分の両方において交換することができる。更に当業者は、前述した説明は例示的なものであり、添付した特許請求の範囲に更に述べられている本発明を制限するものではない。
【図面の簡単な説明】
【００７０】
【図１】本発明により形成された吸収性物品の一実施形態の斜視図である。
【図２】図１で示した吸収性物品を、締結されず、折り畳まないで平坦な状態にし、着用者とは反対側の物品の表面を示した平面図である。
【図３】図２と類似しているが、着用した時に着用者側に向く吸収性物品の表面を示し、下側の特性を示すように部分を切り取った平面図である。
【図４】ライナーの延伸特性を示した、図３で示した吸収性物品の単純化した平面図である。
【図５】本発明により形成された吸収性物品の別の実施形態で、ライナーの延伸特性を示した単純化した平面図である。
【図６】図３で示した物品の７−７の線での断面図である。
【符号の説明】
【００７１】
２０  パンツ
２２  前領域
２４  後領域
２６  股部領域
３２  シャーシ
３４  側部パネル
４０  外カバー
４２  身体側ライナー
４４  吸収性構造体
８０  締結システム
１００  縁部領域
１０２  中間領域
１０４  縁部領域
１１４  接着剤
【図１】
2009519754.tif 000003
【図２】
2009519754.tif 000004
【図３】
2009519754.tif 000005
【図４】
2009519754.tif 000006
【図５】
2009519754.tif 000007
【図６】
2009519754.tif 000008
【国際調査報告】
2009519754.tif 000009
2009519754.tif 000010